(57)【要約】【課題】液晶ディスプレイや有機ＥＬ等が配置された筐体の薄型化を図ると共に、表示器の筐体への組み立てを確実に、かつ、簡単に行うことができる表示機器を提供する。【解決手段】筐体３１に形成された開口部に表示器を配置し、外部より表示器４０の表示面３３が視認し得るように構成した表示機器であって、前記開口部内壁には内方に突出する複数のリブを部分的に設けると共に、前記表示器４０の側部には前記リブと係合する凹部と前記複数のリブ間に形成される空間部５４に挿入される突出部５１とを備えることを特徴とする。【選択図】図６
2007206105.tif 000002
【特許請求の範囲】
【請求項１】
筐体に形成された開口部に表示器を配置し、外部より表示器の表示面が視認し得るように構成した表示機器であって、
前記開口部内壁には内方に突出する複数のリブを部分的に設けると共に、前記表示器の表示面側側部には前記リブと係合する凹部と前記複数のリブ間に形成される空間部に挿入される突出部とを備えることを特徴とする表示機器。
【請求項２】
前記筐体は、前記開口部を閉塞するプレートを有し、該プレートと前記リブを含む筐体表面とは接着部材を介して貼設してあることを特徴とする請求項１記載の表示機器。
【発明の詳細な説明】
【技術分野】
【０００１】
本発明は、表示機器に関し、特に、表示面を有する表示器を備えた携帯電話機、ＰＤＡ（Ｐｅｒｓｏｎａｌ  Ｄｉｇｉｔａｌ  Ａｓｓｉｓｔａｎｔｓ）、ノート型パソコン等に好適なものである。
【背景技術】
【０００２】
一般に、携帯電話機等の表示機器は、その筐体内に、情報を表示する表示面が具備された表示器を有しており、この表示器は、筐体内に形成された開口部から前記表示面が外部へと露出されるように配置されている。
【０００３】
従来のディスプレイパネルを備えた表示器に、表示器の前記表示面の反対側を向く背面側にカバー部材が配置された表示器ユニットを有する表示機器が提案されている（特許文献１参照。）。図８に、従来の表示機器における表示器の保持構造の一例を示す。この表示機器は、筐体を構成するフロントケース１を有しており、このフロントケース１には開口部２が形成されるとともに開口部２の内側へと延びる取付部３が形成されている。この取付部３の一方側（図８において上側）を向く面３Ａには、両面テープ４が配設され、この両面テープ４によって透明な樹脂材料で構成されたプレート５が固定されている。なお、取付部３の他方側（図８において下側）を向く面は取付面３Ｂとされている。
【０００４】
表示器６は、液晶ディスプレイパネル７とこの液晶ディスプレイパネル７を支持する樹脂フレーム８とを有しており、表示器６の一方側を向く面が表示面６Ａとされている。
そして、この表示器６には、金属製のカバー部材９が備えられており、このカバー部材９は、表示器６の側部と当接するように配設されると共に、カバー部材９の一方側を向く面９Ａが、前記取付面３Ｂと対向するように配置されている。これら表示器６とカバー部材９とによって表示器ユニット１０が構成されている。
また、カバー部材９は、フロントケース１の側壁部内面に当接されるように配置されている。
【特許文献１】特開２００４−３５４７３１号公報
【発明の開示】
【発明が解決しようとする課題】
【０００５】
ところで、携帯電話機等の表示機器においては、多くの情報を表示できるように表示面の大型化が図られている一方で、他方では、携帯性向上の観点からさらなる筐体の薄型化が求められる。また、表示機器は多部品の組み合わせにより構成されているため、その組み立ての際には確実、かつ、簡単に行うことができるのが望ましい。
【０００６】
本発明は、このような事情に鑑みてなされたものであって、液晶ディスプレイや有機ＥＬ等を有する表示器が配置された筐体の薄型化を図ると共に、表示器の筐体への組み立てを確実に、かつ、簡単に行うことができる表示機器を提供することを目的とするものである。
【課題を解決するための手段】
【０００７】
上記目的を達成するために、この発明は以下の手段を提案している。
本発明に係る表示機器は、筐体に形成された開口部に表示器を配置し、外部より表示器の表示面が視認し得るように構成した表示機器であって、前記開口部内壁には内方に突出する複数のリブを部分的に設けると共に、前記表示器の表示面側側部には前記リブと係合する凹部と前記複数のリブ間に形成される空間部に挿入される突出部とを備えることを特徴とする。
【０００８】
本発明に係る表示機器は、前記筐体は、前記開口部を閉塞するプレートを有し、該プレートと前記リブを含む筐体表面とは接着部材を介して貼設してあることを特徴とする。
【発明の効果】
【０００９】
本発明の表示機器によれば、筐体に形成された開口部内壁に部分的に設けられた内方に突出する複数のリブと、表示器の表示面側側部に設けられた凹部とが、互いに係合するよう構成されるため、前記表示面は前記複数のリブと前記凹部との係合面よりも外部側に配置されることとなり、筐体の厚さ方向における薄型化を図ることができると共に、前記表示器の側部に設けられた突出部が、前記複数のリブ間に形成される空間部に挿入されることにより、筐体と表示部との相対位置が固定され、組み立て作業を確実に、かつ、簡単に行うことができる。
【発明を実施するための最良の形態】
【００１０】
以下、添付した図面を参照し本発明の実施形態である表示機器について説明する。
図１は、本発明の実施形態である表示機器としての携帯電話機２０を示す図である。この携帯電話機２０は、第１筐体３０と第２筐体６０とがヒンジ部２１で結合された構成とされており、ヒンジ部２１を中心として回転させることでこれら第１筐体３０と第２筐体６０とを互いに重ね合わせることができる折り畳み式の携帯電話機である。
【００１１】
第１筐体３０は、第２筐体６０と重ね合わせた際の第２筐体６０と対向する対向面３０Ａ側を構成する第１フロントケース３１と第１筐体３０の背面側を構成する第１リアケース３２とを備えており、これら第１フロントケース３１と第１リアケース３２とが厚さ方向に接合されている。
また、第２筐体６０は、第１筐体３０と重ね合わせた際の第１筐体３０と対向する対向面６０Ａ側を構成する第２フロントケース６１と第２筐体６０の背面側を構成する第２リアケース６２とを備えており、これら第２フロントケース６１と第２リアケース６２とが厚さ方向に接合されている。
【００１２】
第１筐体３０には、各種情報を表示する表示面３３を有する表示器４０と通話時に使用される受話スピーカ部３４とが具備されており、表示面３３及び受話スピーカ部３４は、第１筐体３０の対向面３０Ａ側に露呈するように配置されており、外部より視認可能に構成されている。
第２筐体６０には、通話キー、終話キー等の複数の操作キー６３を備えたキー操作部６４と通話時に使用される通話マイクロフォン部６５とが具備されており、これらキー操作部６４及び通話マイクロフォン部６５は、第２筐体６０の対向面６０Ａ側に露呈するように配置されている。
【００１３】
図２は、図１に示す携帯電話機２０の表示器４０が収容された第１筐体３０の組み立て状態を示す図である。
前記第１筐体３０を構成する第１フロントケース３１には、前記表示器４０の表示面３３が露呈される開口部３６が形成されている。この第１フロントケース３１の一方側（図２において上側）には、この開口部３６を閉塞するように透明なプレート３７が配置されている。
【００１４】
また、表示器４０は、情報を表示する表示面３３を構成する液晶ディスプレイパネル４１とこの液晶ディスプレイパネル４１を支持する樹脂フレーム４２とを有している。樹脂フレーム４２は、液晶ディスプレイパネル４１及び図示しないバックライトなどの種々の部品を一体として支持するものである。
また、表示器４０の他方側には、該表示器４０の側方及び背面を保護するカバー部材４３が配置されている。このカバー部材４３は、アルミ合金またはステンレス合金の板材を板金加工して成形されたものである。なお、このカバー部材４３が配置された表示器４０のことをここでは表示器ユニット５０であるとする。この表示器ユニット５０は、表示面３３が一方側を向くようにして第１フロントケース３１に配置される。
【００１５】
図３は、表示器ユニット５０の一部を示す図である。表示器４０を形成する樹脂フレーム４２の側壁部には、表示面３３よりも他方側（図３において下側）に後退した位置から幅方向外側に向けて突出した係止爪部４４が、長手方向に間隔を開けて３つ配置されている。
一方、カバー部材４３には、その側壁部と底面部との交差稜線部に開口して前記係止爪部４４と係合される係止孔部４６が長手方向に間隔を開けて３つ配置されている。これら係止爪部４４と係止孔部４６とが係合することにより、表示器４０とカバー部材４３とが結合されて表示器ユニット５０は構成されている。
【００１６】
そして、カバー部材４３の側壁部のうち係止孔部４６の一方側に位置する部分には、一方側に向かうにしたがい幅方向外側に向けて突出する突出部５１が形成されている。
また、表示器ユニット５０の側壁部のうち前記係止爪部４４及び係止孔部４６が形成されていない部分には、表示面３３よりも他方側に後退した位置から幅方向外側に向けて延びると共に、一方側を向く面が前記表示面３３よりも他方側に後退して構成される凹部５２が形成され、この凹部５２の一方側を向く面が当接面５２Ａとされている。
すなわち、表示器４０の表示面３３側側部に凹部５２を形成して、この凹部５２の底面を当接面５２Ａとしてある。
【００１７】
図４は、筐体を構成する第１フロントケース３１を裏側から見た図である。第１フロントケース３１には、前記開口部３６内壁には内方に突出する複数のリブ部５３が部分的に設けられており、すなわち、内壁には、そのリブ部５３が表示器４０の側部に向かって突出するように形成されている。このリブ部５３の一方側（図４において下側）を向く面が前記プレート３７を装着する装着面５３Ａとされ、他方側（図４において上側）を向く面が取付面５３Ｂとされている。
また、装着面５３Ａを含む第１フロントケース３１表面（第１筐体３０表面）には、両面テープ５５が貼り付けられており、プレート３７はこの両面テープ５５により貼設されている。すなわち、装着面５３Ａも、プレート３７を貼設するための面として寄与している。なお、両面テープ５５が貼付けられる第１フロントケース３１表面は、リブ部５３の一方側を向く面である装着面５３Ａのみによって構成されるようにしてもよい。
【００１８】
図５は、表示器ユニット５０が収容された第１筐体３０を対向面３０Ａ側から見た図であり、図６は、図５におけるＸ−Ｘ断面、つまり前記突出部５１が形成された部分の断面図である。この断面においては、樹脂フレーム４２に形成された係止爪部４４とカバー部材４３に形成された係止孔部４６とが係合されており、係止爪部４４の一方側（図６において上側）に幅方向外側に突出した突出部５１が配置されている。この突出部５１は開口部３６の内壁に設けられた複数のリブ部５３の間に形成される空間部５４に挿入されるように構成されている。これにより、突出部５１がリブ部５３によって表示器４０の長手方向への移動が規制されることになり、第１筐体３０と表示器４０との相対位置が決まることになる。
【００１９】
図７は、図５におけるＹ−Ｙ断面、つまり凹部５２が形成された部分の断面図である。この断面においては、樹脂フレーム４２の側面部外面とカバー部材４３の側壁部内面とが当接するように配置されて、表示面３３から他方側に後退した位置に前記凹部５２が形成されている。表示器ユニット５０は、凹部５２の一方側（図７において上側）を向く当接面５２Ａとリブ部５３の他方側を向く取付面５３Ｂとが互いに当接するようにして係合され、第１フロントケース３１に固定されている。これにより、前記表示面３３は、リブ部５３の取付面５３Ｂよりも一方側に突出するように配置されることになり、ひいては表示器ユニット５０全体も一方側に近づけて配置されることとなる。
【００２０】
本実施形態によれば、第１筐体３０に形成された開口部３６内壁に部分的に設けられた内方に突出する複数のリブ部５３と、表示器４０の表示面３３側側部に設けられた凹部５２とが、互いに係合するように構成されるため、表示面３３は複数のリブ部５３と前記凹部５２との当接面、すなわち、リブ部５３の取付面５３Ｂよりも一方側に突出するように配置されることとなり、第１筐体３０の厚さ方向における薄型化を図ることができると共に、表示器４０の側部に設けられた突出部５１が、複数のリブ部５３間に形成される空間部５４に挿入されることにより、第１筐体３０と表示器４０との相対位置が固定され、組立作業を確実に、かつ、簡単に行うことができる。
【００２１】
また、リブ部５３の装着面５３Ａは、プレート３７を貼設するための面として寄与する構成となっているため、従来に比して第１フロントケース３１表面のプレート３７を貼設するための幅方向における領域を狭くすることができ、その結果、第１フロントケース３１の幅方向における小型化を図ることができる。
【００２２】
以上、本発明の実施形態について説明したが、本発明はこれに限定されることはなく、その発明の技術的思想を逸脱しない範囲で適宜変更可能である。
例えば、表示器ユニットを一つ備えた携帯電話機について説明したが、これに限定されることはなく、メイン表示器と、メイン表示器の背面側にサブ表示器とを備えた携帯電話機におけるサブ表示器を本発明の表示器ユニットとしてもよい。
【００２３】
また、カバー部材として、アルミ及びステンレス等の金属板で構成されたものとして説明したが、この材質については、その強度及び重量等を考慮して適宜設定することが好ましい。
また、表示機器としては、例えば、携帯電話、ＰＤＡ（Ｐｅｒｓｏｎａｌ  Ｄｉｇｉｔａｌ  Ａｓｓｉｓｔａｎｔｓ）、デジタルカメラ、ノート型パーソナルコンピュータ等が挙げられ、各種情報を表示する表示器を有するものであれば良い。
【００２４】
また、表示器を、液晶ディスプレイパネルを使用したもので説明したが、これに限定されることはなく、例えば、有機ＥＬ等であっても良い。
【図面の簡単な説明】
【００２５】
【図１】本発明の実施形態に係る携帯電話機を示す斜視図である。
【図２】図１に示す携帯電話機における第１筐体の分解斜視図である。
【図３】図１に示す携帯電話機に備えられた表示器ユニットの側面拡大図である。
【図４】第１筐体を構成する第１フロントケースを内部側からみた斜視図である。
【図５】図１に示す携帯電話機の第１筐体の正面図である。
【図６】図５におけるＸ−Ｘ断面図である。
【図７】図５におけるＹ−Ｙ断面図である。
【図８】従来の表示器ユニットを筐体に固定した状態を示す断面図である。
【符号の説明】
【００２６】
２０  携帯電話機（表示機器）
３０  第１筐体（筐体）
３３  表示面
３６  開口部
３７  プレート
４０  表示器
４３  カバー部材
５０  表示器ユニット
５１  突出部
５２  凹部
５３  リブ部
５４  空間部
５５  両面テープ（接着部材）
【図１】
2007206105.tif 000003
【図２】
2007206105.tif 000004
【図３】
2007206105.tif 000005
【図４】
2007206105.tif 000006
【図５】
2007206105.tif 000007
【図６】
2007206105.tif 000008
【図７】
2007206105.tif 000009
【図８】
2007206105.tif 000010